(57)【要約】      （修正有）【課題】入浴前或いは入浴時の暖房性を向上させた浴室乾燥暖房機を提供する。【解決手段】浴室１１内の空気を建物外に排気する排気系ユニットと浴室内の空気を循環させる循環系ユニットとからなる本体ユニット４と、浴室内の入浴者を輻射熱により暖める入浴者用のヒータユニット５とを備え、ヒータユニット５のヒータは、カーボン素材を熱源とする遠赤外線ヒータとした。これにより、洗い場にいるときや浴槽に入っているときでも、上部から頭部や首、或いは肩部などを暖めることができ、寒冷期でも体を冷やしてしまうことが防止されて快適に入浴で可能にした。【選択図】図２
2010091267.tif 000002
【特許請求の範囲】
【請求項１】
浴室内の空気を建物外に排気する排気系ユニットと浴室内の空気を循環させる循環系ユニットとを備えた本体ユニットに、浴室内の入浴者を輻射熱により暖める入浴者用のヒータユニットを備えたことを特徴とする浴室用乾燥暖房装置。
【請求項２】
請求項１の浴室用乾燥暖房装置において、前記ヒータユニットのヒータは、カーボン素材を熱源とする遠赤外線ヒータを用いていることを特徴とする浴室用乾燥暖房装置。
【請求項３】
請求項１、２のいずれかの浴室用乾燥暖房装置において、前記本体ユニットに温風を浴室内に送風する温風ヒータを備えていることを特徴とする浴室用乾燥暖房装置。
【請求項４】
請求項１〜請求項３のいずれかの浴室用乾燥暖房装置において、前記排気系ユニットと前記循環系ユニットは、浴室天井部の浴槽上方に収納設置される本体ユニット側に配備され、前記ヒータユニットのヒータ部分が前記本体ユニットから浴室天井部下方に突出していることを特徴とする浴室用乾燥暖房装置。
【請求項５】
請求項４の浴室用乾燥暖房装置において、前記ヒータユニットの輻射熱の放射方向が浴槽隣の洗い場側に向けられていることを特徴とする浴室用乾燥暖房装置。
【請求項６】
請求項４、請求項５のいずれかの浴室用乾燥暖房装置において、前記ヒータユニットは、前記本体ユニットから天井下方に吊り下げ可能とされていることを特徴とする浴室用乾燥暖房装置。
【請求項７】
請求項６の浴室用乾燥暖房装置において、前記本体ユニットに前記ヒータユニットを吊り下げる掛止手段が、両者のいずれか一方に形成されるフックと、両者のいずれ片方に形成されて該フックに掛けられる軸により構成され、前記掛止手段は、前記ヒータユニットを吊り下げ状態から前記本体ユニット側に当接させたときに、前記ヒータユニットを前記本体ユニット側に密着させるように作用する弾性力付与機構を有していることを特徴とする浴室用乾燥暖房装置。
【発明の詳細な説明】
【技術分野】
【０００１】
この発明は、浴室の換気・送風を行う浴室乾燥暖房装置に関し、更に詳しくは、入浴中の入浴者の体を暖める機能を備えた浴室乾燥暖房装置に関する。
【背景技術】
【０００２】
寒冷期においては、脱衣後入浴するまでのほか浴室に入った後も、浴室の室温が低いために寒さに耐えなければならない場合が多い。このようなことを緩和するために、浴室内の予備暖房をすることが考えられている。
【０００３】
従来、このような浴室の予備暖房装置としては、浴室用の換気扇にヒーターを設けたものが知られている。即ち、浴室の空気を建物の外側に送る換気扇に、浴室内の空気を循環させる循環系ユニットを設け、この循環系ユニットにヒータを設けた構造とされている。
【０００４】
循環系ユニットは、換気扇の排気系ユニットとは別系統の風路を形成するものであり、浴室内の空気を取り入れる吸入開口部の下流側にフィルターを設け、このフィルターの下流にファンを設け、このファンの下流にヒータを設け、ヒータの下流に送風用開口部を設けたものである。
【０００５】
この循環系ユニットのファン及び駆動用のモータは、小出力のものであり、浴室内の空気をヒータで暖めて乾燥や予備暖房を行うようになっている。
【先行技術文献】
【特許文献】
【０００６】
【特許文献１】特開２０００−  ８２５７４号公報
【特許文献２】特開２０００−２４３５４３号公報
【特許文献３】特開２０００−２８６０３５号公報
【発明の概要】
【発明が解決しようとする課題】
【０００７】
しかしながら、このような浴室乾燥暖房装置では、入浴前の予備暖房に時間がかかりすぎると共に、洗い場で体を洗っている場合等に水の蒸発熱を奪われて寒い思いをするという不具合が充分に解消されていない。  
【０００８】
本発明は、このような問題に着目してなされたものであり、浴室の入浴前の予備暖房を短時間で行うと共に、入浴中も洗い場にいるときに寒い思いを入浴者に与えない浴室乾燥暖房装置を提供することを目的とする。
【課題を解決するための手段】
【０００９】
上記課題を解決するために、本願の請求項１の浴室用乾燥暖房装置は、浴室内の空気を建物外に排気する排気系ユニットと浴室内の空気を循環させる循環系ユニットとを備えた本体ユニットに、浴室内の入浴者を輻射熱により暖める入浴者用のヒータユニットを備えたことを特徴とする。  
【００１０】
本願の請求項２の浴室用乾燥暖房装置は、請求項１の浴室用乾燥暖房装置において、前記ヒータユニットのヒータは、カーボン素材を熱源とする遠赤外線ヒータを用いていることを特徴とする。
【００１１】
本願の請求項３の浴室用乾燥暖房装置は、請求項１、２のいずれかの浴室用乾燥暖房装置において、前記本体ユニットに温風を浴室内に送風する温風ヒータを備えていることを特徴とする。
【００１２】
本願の請求項４の浴室用乾燥暖房装置は、請求項１〜請求項３のいずれかの浴室用乾燥暖房装置において、前記排気系ユニットと前記循環系ユニットは、浴室天井部の浴槽上方に収納設置される本体ユニット側に配備され、前記ヒータユニットのヒータ部分が前記本体ユニットから浴室天井部下方に突出していることを特徴とする。
【００１３】
本願の請求項５の浴室用乾燥暖房装置は、請求項４の浴室用乾燥暖房装置において、前記ヒータユニットの輻射熱の放射方向が浴槽隣の洗い場側に向けられていることを特徴とする。
【００１４】
本願の請求項６の浴室用乾燥暖房装置は、請求項４、請求項５のいずれかの浴室用乾燥暖房装置において、前記ヒータユニットは、前記本体ユニットから天井下方に吊り下げ可能とされていることを特徴とする。  
【００１５】
本願の請求項７の浴室用乾燥暖房装置は、請求項６の浴室用乾燥暖房装置において、前記本体ユニットに前記ヒータユニットを吊り下げる掛止手段が、両者のいずれか一方に形成されるフックと、両者のいずれ片方に形成されて該フックに掛けられる軸により構成され、前記掛止手段は、前記ヒータユニットを吊り下げ状態から前記本体ユニット側に当接
させたときに、前記ヒータユニットを前記本体ユニット側に密着させるように作用する弾性力付与機構を有していることを特徴とする。
【図面の簡単な説明】
【００１６】
【図１】本発明の実施の形態にかかる浴室用乾燥暖房装置の分解組み立て図。
【図２】浴室内の浴室用乾燥暖房装置の取り付け状態を示す概念図。
【図３】浴室用乾燥暖房装置と配電盤との接続関係を示す図。
【図４】浴室用乾燥暖房装置の斜視図。
【図５】カーボンランプヒータとクォーツヒータとの放射強度特性を比較したグラフ。
【図６】ハロゲンランプヒータとクォーツランプヒータ及びカーボンランプヒータのそれぞれにより、所定時間手を暖めた状態の温度分布状態を比較した図。
【図７】本体ユニット側にヒータユニットを吊り下げる状態の説明図。
【図８】ヒータユニットの軸を本体ユニット側のフックに掛止するときの拡大図。
【図９】ヒータユニットのチェーンを本体ユニット側に掛止するときの拡大図。
【図１０】（１）はステーのフックにヒータユニットの軸を掛止した状態を示す図。（２）はヒータユニットを本体ユニット側に回動させたときのステーのフックにかかる変形力を示す説明図。（３）はヒータユニットを本体ユニット側に密着固定したときにフックの応力の作用状態を示す説明図。
【図１１】ヒータユニットの給電用ソケットの接続を示す斜視図。
【発明を実施するための形態】
【００１７】
以下、本発明の実施の形態にかかる浴室用乾燥暖房装置を図面に基づいて説明する。
【００１８】
図１は、本発明の実施の形態にかかる浴室用乾燥暖房装置の分解組み立て図を示している。
［浴室用乾燥暖房装置］
この浴室乾燥暖房機１は、天井板２の開口部３の内部に装着する本体側ユニット４と、
天井板２の下方に位置するように本体側ユニット４に取り付けられるヒータユニット５とによって、大略構成される。
【００１９】
天井板２の上部は補強柱６〜９によりネジ等により固定されており、開口部３の縁部にはシール材１０が取り付けられている。図２は浴室への配置状態を示す。天井板２の開口部３は、ヒータユニット５が浴室１１内部の浴槽１２の上に位置するように、形成されている。
【００２０】
浴槽１２の隣は洗い場１３であり、ヒータユニット５のヒーター部１４は天井板２の下方に突出して、洗い場１３に向かって輻射熱を放射するように向けられている。天井板２の洗い場１３の上方に位置する部分には点検口１５及び蓋１６が設けられている。ドア１７には通風口となるガラリ１８が形成されている。浴室１１の外側の壁面には浴室乾燥暖房機１のコントローラ１９及び配電盤２０が設置されており、コントローラ１９及び配電盤２０は、図２、図３に示すように、浴室乾燥暖房機１に電力線Ａ及び制御線Ｃにより接続されている。Ｅはアース線である。また、本体側ユニット４は、排気ダクト２１、２２に接続されており、本体側ユニット４にて吸引した浴室１１の空気を建物の外側に排気できるようになっている。
【００２１】
後述する温風ヒータは、通常入浴前に浴室を暖める予備暖房として利用し、入浴時には、後述するヒータユニット５より発せられる輻射熱を利用して、暖房効果を得る。但し、このような暖房運転に限定されるものではなく状況に応じて、温風ヒータからの暖房とヒータユニット５からの輻射熱による暖房を単独又は併用して利用することができる。
［本体側ユニット］
本体側ユニット４は、浴室１１内の空気をダクト２１、２２から建物外部に排気する排気系ユニット（図示省略）と、浴室１１内の空気を取り入れて再び浴室１１内部に送り出す循環系ユニット（図示省略）とを備えている。排気系ユニットは導入開口部２３内にファン２４を備えており、ファン２４の下流側はダクト２５に連通している。ダクト２５は
ダクト２１に接続され、ダクト２２に連通する。循環系ユニットは、導入開口部２３と通ずる図示しない循環用通路を備えており、導入開口部２３とこの循環用通路の分岐部分にダンパ（図示省略）が設けられている。循環通路の空気排出口には、温風送風用のセラミックヒータ２６（温風ヒータ）が設置されている。なお、温風ヒータとしては、セラミックヒータ２６に限らず、シーズヒータでも良い。
【００２２】
本体側ユニット４の下部の周縁部２７は、開口部３の縁部の下に当接するように張り出しており、ネジ２８により天井板２及び補強柱６〜９に固定される。この周縁部２７の長辺部両端部近傍には、ヒータユニット５を固定するための一対のステー２９がネジ３０により固定される。  
【００２３】
一対のステー２９は、Ｕ字形状の断面を有しており、図２において浴槽１２側から洗い場１３側に向かって延びるように取り付けられ、ステー２９の浴槽１２側の端部に、補強部３１とフック３２とを有している。ステー２９を本体側ユニット４の周縁部２７に固定したとき、フック３２の凹部と天井との距離Ｌ１は予め所定の値となるように設定されている。
【００２４】
ステー２９の補強部３１とフック３２は、ヒータユニット５の掛止軸３３と共に、弾性力付与機構を構成する。弾性力付与機構については後述する。
［ヒータユニット］
ヒータユニット５は、浴室１１内の入浴者を輻射熱により暖めるのが主用途であるが、入浴前に浴室１１内部を予備的に暖める予備暖房の用途も備えている。
【００２５】
ヒータユニット５のヒータ部分は、本体ユニット４から浴室天井部下方に突出している。ヒータユニット５の輻射熱の放射方向が洗い場１３側に向けられている。即ち、ヒータユニット５の輻射熱の放射角度βは３０〜６０度の範囲が望ましく、５０度前後が浴槽１２と洗い場１３を暖めるので、より好ましい。また、ヒータユニット５の突出部分の傾斜
面Ｆと天井板２のなす角度は１３５度乃至１６５度が浴槽１２並びに洗い場１３に向けて輻射熱を放射するのに好適である。
【００２６】
ヒータユニット５のヒータ部分は、図４に示すように、反射板３４と一対のカーボンランプヒータ３５、３５を備えている。反射板３４はカーボンランプヒータ３５の遠赤外線を所定の角度で洗い場１３側に反射させるように形成されている。カーボンランプヒータ３５は、カーボン素材を熱源とする遠赤外線ヒータを用いている。
【００２７】
図５は、カーボンランプヒータ３５の放射強度特性をグラフに表したものであり、従来のニクロム線を用いたシーズヒータやクォーツを熱源とするクォーツヒータよりも、幅広い波長領域で輻射量が増大し、クォーツヒータより遠赤外線の放射強度が３割増大している。特に、２μｍ乃至５μｍの波長領域の遠赤外線は、物質の照射されると、熱エネルギ
ーが高く、皮膚表面での吸収率が９割程度あることが知られている。図６は、１００ｖ６００ｗで１０分間手に赤外線を当てた後、１０分間冷却した時の手のサーモグラフ結果を示したものであり、図６（１）のハロゲンランプヒータや図６（２）のクォーツランプヒータに比べて図６（３）のカーボンランプヒータ３５の人体への暖房効果が良好である。
【００２８】
カーボンランプヒータ３５は、板状に形成したカーボンとセラミックスを複合的に構成したものであり、平板状の発熱体を構成するために熱放射の指向性が高いものである。この実施の形態では、カーボンランプヒータ３５は、遠赤外線を透過する透明管の両端部に通電用の電極を対となるように形成し、一対の電極にそれぞれリード線を形成し、この対となるリード線の間に、通電することにより発熱して遠赤外線を放射する炭素系物質を棒状に形成して発熱体を接続して、透明管内部に発熱体を格納し、内部に不活性ガス等を封入したものである。カーボンランプヒータ３５の一例としては、特許文献２に掲載の炭素発熱体や特許文献３の掲載の発熱体、或いは特許文献４に掲載の赤外線ヒータ等が参考となるが、これらに限らず、遠赤外線放射効果の高いものであれば他のものでも良いのは勿論である。
【００２９】
ヒータユニット５のヒータ部分には、保護ネット３６が取り付けられており、カーボンランプヒータ３５を覆っている。ヒータユニット５の筐体部分には、開口部２４に空気を通過させる通気口３７と、セラミックヒータ２６から浴室１１内に送風される温風を送風する通気口３８とが形成されており、通気口３７の内部にフィルター３９が取り出し可能に設置されるようになっている。
［掛止手段］
ヒータユニット５の筐体部分の一方の端部は、ねじ４０によりステー２９に固定される。４１はねじ４０を通すボスである。ヒータユニット５の筐体部分の他方の端部内側には、図７乃至図９に示すように掛止手段の一部としての掛止軸３３が一対形成されている。
また、片方の掛止軸３３の近傍にはヒータユニット５の吊り下げ時にステー２９のリング４２に掛け止めるチェーン４３が取り付けられている。  
【００３０】
ヒータユニット５は、本体ユニット４から天井下方に吊り下げる掛止手段は、ステー２９に形成されたフック３２と、ヒータユニット５側の掛止軸３３とにより構成されるが、フックはヒータユニット５側に形成し、掛止軸はステー２９側に形成することも可能である。
［弾性力付与機構］
掛止手段は、ヒータユニット５を吊り下げ状態から本体ユニット４側に当接させたときに、ヒータユニット５を本体ユニット４側に密着させるように作用する弾性力付与機構を有している。弾性力付与機構は、本体ユニット４側のステー２９に形成されたフック３２と、ヒータユニット側に取り付けられた掛止軸３３により構成される。
【００３１】
ヒータユニット５の掛止軸３３をフック３２に吊り下げているときの掛止軸３３と天井板２との距離Ｌ１が、ヒータユニット５を水平に向けて本体ユニット４側に当接させたときの掛止軸３３と天井板２との距離Ｌ２より短く設定されている。
【００３２】
即ち、掛止軸３３とヒータユニット５の縁部４４の距離Ｌ３（図８参照）は、掛止軸３３とヒータユニット５の上端縁部４３の離間距離Ｌ２（図１０（３）参照）より、短く設定されており、ヒータユニットを鉛直方向の吊り下げ状態から水平方向に回動した時に、天井板２と掛止軸３３の距離がＬ１からＬ２に変動するようになっている。
【００３３】
このために、ヒータユニット５を吊り下げ状態から本体ユニット４に当接させて掛止軸３３と天井板２とが接触したときに、ステー２９の補強部３１及びフック３２に距離Ｌ１をＬ２に広げる変形力が作用し、この変形力に対するステー２９の反力によりヒータユニット５が天井に密着するものである。
【００３４】
なお、ヒータユニット５の掛止軸３３近傍の角部には、ヒータユニット５の回動を許容するための面取り部分４６が形成されている。
【００３５】
図１１は、ヒータユニット５の給電線４８と本体側ユニット４の給電線４９とを接続する状態を示す。ヒータユニット５は、本体ユニット４側に当接固定する前に、ヒータ部分の給電線４７のソケット４８と、本体側ユニット４の給電線４９のソケット５０とを接続する。この給電線４７、４９を接続するときに、フック３２に掛止軸３３を掛止しさせてヒータユニット５を吊り下げて作業ができるので、作業者の両手がふさがることがなくなり、修理・点検・交換作業等が著しく楽になる。
【００３６】
本願の請求項１の浴室用乾燥暖房装置によれば、入浴者の体を暖めることを目的としたヒータユニットを備えており、そのヒータが輻射熱により体を暖めるので、洗い場にいるときや浴槽に入っているときでも、上部から頭部や首或いは肩部などを暖めることができ、寒冷期でも体を冷やしてしまうことが防止されて快適に入浴できる。
【００３７】
本願の請求項２の浴室用乾燥暖房装置によれば、ヒータユニットのヒータがカーボン素材に通電して遠赤外線の輻射熱を発生するので、体に浸透しやすく、体が温まりやすい。
【００３８】
本願の請求項３の浴室用乾燥暖房装置によれば、本体ユニット側に温風ヒータが設けられているので、温風ヒータのみ或いは温風ヒータとヒータユニットとを併せて運転することにより入浴前に浴室内の予備暖房を行っても良いし、入浴中に温風ヒータによる温風送風とヒータユニットのヒータを用いて浴室内の暖房と入浴中の入浴者の上体の暖房を行うこともできる。しかも、温風ヒータにより浴室内の空気を循環する際に、温風ヒータとヒータユニットのヒータとにより浴室内の空気が加温されるので、浴室内壁面等への結露が防止され、天井等からの水滴の落下等を防止したり、天井や壁面等へのカビなどの発生を防止可能となる。
【００３９】
本願の請求項４の浴室用乾燥暖房装置によれば、ヒータユニットのヒータ部分が浴室天井部から下方に突出しているので、輻射角度が大きくなり、洗い場にいる入浴者の体を暖めやすい。
【００４０】
本願の請求項５の浴室用乾燥暖房装置によれば、輻射熱の放射方向が洗い場側に向けられているので、首や肩部或いは胴部・脚部などに遠赤外線を放射し易くなり、体を暖めやすい。また、浴槽から立ち上る湯煙の蒸発を促進して浴室内の湿度を低下させ、乾燥させることができる。
【００４１】
本願の請求項６の浴室用乾燥暖房装置によれば、ヒータユニットを本体ユニットから分離して、ヒータユニットのみの交換・修理・点検等を行いやすい。
【００４２】
本願の請求項７の浴室用乾燥暖房装置によれば、ヒータユニットと天井部とのシールを再度組み合わせる場合に、ヒータユニットを本体ユニットに吊り下げるので、ヒータユニット側の電源部と本体ユニット側の電源部との接続作業等を簡単に行いやすいと共に、再度ヒータユニットを本体ユニットに密着するように組み付ける場合に、ヒータユニットを本体ユニット側に密着させれば、ヒータユニットと天井部とが密着するので、簡単な構成でヒータユニットと天井部とのシールが自動的に行われ、組立・点検・修理・交換作業を非常に簡単に行うことができる。
【符号の説明】
【００４３】
１  浴室乾燥暖房機
２  天井板
４  本体ユニット
５  ヒータユニット
１１  浴室
１２  浴槽
１３  洗い場
３２  フック
３３  掛止軸
Ｌ１  掛止軸と天井板との距離
Ｌ２  掛止軸とヒータユニット上端縁部の距離
３５  カーボンランプヒータ
３６  保護ネット
【図１】
2010091267.tif 000003
【図２】
2010091267.tif 000004
【図３】
2010091267.tif 000005
【図４】
2010091267.tif 000006
【図５】
2010091267.tif 000007
【図６】
2010091267.tif 000008
【図７】
2010091267.tif 000009
【図８】
2010091267.tif 000010
【図９】
2010091267.tif 000011
【図１０】
2010091267.tif 000012
【図１１】
2010091267.tif 000013